(57)【要約】      （修正有）【課題】保管や展示のために飲料容器に未装着の状態での見栄えを良くする。【解決手段】飲料容器用カバー１０は、ニット素材を無端で二重にした筒構造の円筒体をなす。【選択図】図２
2017196201.tif 000002
【特許請求の範囲】
【請求項１】
ニット素材を無端で二重にした筒構造の円筒体をなす飲料容器用カバー。
【発明の詳細な説明】
【技術分野】
【０００１】
本発明は、飲料容器用カバーに関する。
【背景技術】
【０００２】
飲料容器では外周壁面に水滴が付着することがあるので、飲料容器の外周壁から容器底部に掛けて飲料容器を覆うようにした飲料容器用カバーが提案されている（例えば、特許文献１）。
【先行技術文献】
【特許文献】
【０００３】
【特許文献１】特開平９−９８８７６号公報
【発明の概要】
【発明が解決しようとする課題】
【０００４】
上記の特許文献で提案された飲料容器用カバーは、吸水性、収縮性の良い布や綿、紙などの材質で有底のコップ状としていることから、コースターとしての機能も発揮し得る。しかしながら、有底である都合上、保管や展示のために飲料容器に未装着の状態では有底の底部位が他の部位より膨らむので、見栄えが損なわれるという問題点が指摘されるに到った。
【課題を解決するための手段】
【０００５】
上記した課題の少なくとも一部を達成するために、本発明は、以下の形態として実現することができる。
【０００６】
本発明の一形態によれば、飲料容器用カバーが提供される。この飲料容器用カバーは、ニット素材を無端で二重にした筒構造の円筒体をなす。この形態の飲料容器用カバーは、筒構造の円筒体であることから容易に折り畳むことができ、折り畳んだ状態では、筒が折り畳まれた単純な矩形形状で、且つ、ニット素材が４重に重なった厚みのある矩形形状となる。よって、この飲料容器用カバーによれば、保管や展示のために折り畳まれた際の見栄えが高まる。また、この飲料容器用カバーは、飲料容器に装着された場合に、円筒体開口の一端側が飲料容器の底部外周において内側に折れ曲がることで、コースターとしての機能も発揮できる。
【図面の簡単な説明】
【０００７】
【図１】本発明の実施形態としての飲料容器用カバーを表層の状態と共に示す斜視図である。
【図２】飲料容器用カバーをその一部断面を含ませて模式的に表す説明図である。
【図３】飲料容器用カバーの製造過程を概略的に説明する説明図である。
【図４】折り畳まれた状態の飲料容器用カバーの斜視図である。
【図５】凹条の脚付き容器に飲料容器用カバーを装着した第１の使用形態を示す説明図である。
【図６】脚無しのコップ状容器に飲料容器用カバーを装着した第２の使用形態を示す説明図である。
【発明を実施するための形態】
【０００８】
図１は本発明の実施形態としての飲料容器用カバー１０を表層の状態と共に示す斜視図であり、図２は飲料容器用カバー１０をその一部断面を含ませて模式的に表す説明図である。図示するように、飲料容器用カバー１０は、無端で二重の筒構造を有する円筒体であり、外側を外表筒部１１とし内側を内表筒部１２とする。内表筒部１２のほぼ中央部には、素材縫い合わせ部２０が残されている。図３は飲料容器用カバー１０の製造過程を概略的に説明する説明図である。
【０００９】
飲料容器用カバー１０を得るには、図示するように、まずニット素材の円筒体１０ｎを用意する。円筒体１０ｎは、ニット繊維を筒状に編み上げたものでもよく、長方形状のニット素材のシート材をその両端で縫い合わせて筒状としたものでもよい。次いで、円筒体１０ｎの図における上端周壁Ｓ１と下端周壁Ｓ２とを、筒状体外側に折り返してから、上下端周壁を縫い上げる。これにより、素材縫い合わせ部２０で上端周壁Ｓ１と下端周壁Ｓ２とが縫い合わされて、素材縫い合わせ部２０を筒状体外側に有する飲料容器用カバー１０が得られる。得られた飲料容器用カバー１０は無端であることから、素材縫い合わせ部２０をずらすことができる。よって、筒状体外側に位置していた素材縫い合わせ部２０が筒状体内側に来るよう、外表筒部１１と内表筒部１２をずらすことで、図１と図２に示す飲料容器用カバー１０が得られる。なお、円筒体１０ｎの図における上端周壁Ｓ１と下端周壁Ｓ２とを、筒状体内側に折り返してから、上下端周壁を縫い上げるようにしてもよい。
【００１０】
図４は折り畳まれた状態の飲料容器用カバー１０の斜視図である。図示するように、飲料容器用カバー１０は、折り畳んだ状態では、筒が折り畳まれた単純な矩形形状で、且つ、ニット素材が４重に重なった厚みのある矩形形状となる。
【００１１】
図５は凹条の脚付き容器Ｙ１に飲料容器用カバー１０を装着した第１の使用形態を示す説明図であり、図６は脚無しのコップ状容器Ｙ２に飲料容器用カバー１０を装着した第２の使用形態を示す説明図である。
【００１２】
図示するように、飲料容器用カバー１０の装着に当たっては、脚付き容器Ｙ１或いはコップ状容器Ｙ２の底部側から、飲料容器用カバー１０に容器を挿入する。そうすると、飲料容器用カバー１０は、ニット素材を無端で二重にした筒構造の円筒体をなすことから、容器外周壁に沿って拡幅した上で、円筒体開口の一端側（図における下端側）を容器底部の外郭形状に倣って変形させて、容器底部の外周を覆う。つまり、飲料容器用カバー１０の内径より大径の脚付き容器Ｙ１やコップ状容器Ｙ２に飲料容器用カバー１０が装着されると、ニット素材の外表筒部１１は、内表筒部１２より伸張して拡幅することで、より大きな収縮力を生じさせて、内表筒部１２と共に容器底部の外周を覆う。脚付き容器Ｙ１への装着時には、飲料容器用カバー１０は、凹条の脚の内周壁に沿うよう外表筒部１１を内表筒部１２と共に屈曲させ、脚先端（下端）をその全域において覆う。
【００１３】
以上説明したように、本実施形態の飲料容器用カバー１０によれば、二重の筒構造の円筒体であることから容易に折り畳むことができ、折り畳んだ状態では、筒が折り畳まれた単純な矩形形状で、且つ、ニット素材の外表筒部１１と内表筒部１２が、外側から、外表筒部１１、内表筒部１２、内表筒部１２および外表筒部１１の順に４重に重なった厚みのある矩形形状となる。よって、本実施形態の飲料容器用カバー１０によれば、保管や展示のために折り畳まれた際の見栄えが高まる。また、本実施形態の飲料容器用カバー１０が脚付き容器Ｙ１やコップ状容器Ｙ２に装着された状態では、外表筒部１１および内表筒部１２の一端は、それぞれの飲料容器の底部外周において内側に折れ曲がる。これにより、飲料容器用カバー１０は、コースターとしての機能も発揮できる。
【００１４】
本実施形態の飲料容器用カバー１０は無端であることから、素材縫い合わせ部２０で連続した内表筒部１２と外表筒部１１とをずらすことができる。よって、図１や図２におけるカバー下端側や上端側に使用に伴う損傷が起きても、その損傷箇所が筒状体内側に来るよう内表筒部１２と外表筒部１１とをずらすことで、その損傷箇所を目に付き難くできる。
【００１５】
本実施形態の飲料容器用カバー１０は、二重の筒構造の円筒体であることから、装着された飲料用容器の口元側から底部に掛けての周壁において、内表筒部１２と外表筒部１１とが重なる。容器口元側では、容器口元からこぼれた少量の飲料が、ニット素材における毛管現象に起因して容器口元側の内表筒部１２に染み込み、内表筒部１２が濡れ得る。しかしながら、内表筒部１２に外表筒部１１が重なった内外表筒部の表面領域では、ニット素材における毛管現象ほどの飲料の伝わりは起きないので、容器口元側の内表筒部１２が濡れても、内表筒部１２に重なった外表筒部１１まで、こぼれた飲料などで濡れてしまうことを起き難くできる。よって、本実施形態の飲料容器用カバー１０によれば、容器口元から飲料がこぼれるような状況であっても、外表筒部１１を持つ使用者に違和感を与えないようにできる。また、冷えたジュース等の飲料を保持したコップやペットボトル等の飲料容器では、容器外周壁に外気中の水蒸気が冷やされて水滴（凝集水滴）が付着するが、こうした飲料容器に本実施形態の飲料容器用カバー１０を装着すれば、内表筒部１２に重なった外表筒部１１を凝集水滴で濡れないようにして、外表筒部１１を持つ使用者に違和感を与えないようにできる。
【００１６】
以上、本発明の実施の形態を実施例にて説明したが、本発明は上記した実施例や変形例の実施形態に限られるものではなく、その要旨を逸脱しない範囲において種々の態様にて実施することが可能である。
【００１７】
上記の実施形態では、内表筒部１２のほぼ中央部に素材縫い合わせ部２０が残るようにしたが、内表筒部１２の端部の側に素材縫い合わせ部２０が残るようにしてもよい。つまり、図３に示した上端周壁Ｓ１と下端周壁Ｓ２との接触位置を、図２における内表筒部１２の端部の側として上下端周壁を縫い上げるようにしてもよい。
【００１８】
本実施形態の飲料容器用カバー１０の外表筒部１１に、刺繍を施すようにしてもよい。刺繍は、図３に示す円筒体１０ｎの状態やそれ以前のニット素材のシート材の状態において行うことができるほか、素材縫い合わせ部２０で内表筒部１２を形成した後に行うようにしてもよい。刺繍に代え、或いは刺繍と共に染色を行うようにしてもよい。刺繍や染色が何らかの意図が込められた図形や図案、模様であれば、内表筒部１２と外表筒部１１とをずらすことで、その図形や模様の様子を変えることもできる。この他、ニット素材を複数の異なる色の糸を用いて編み上げ、異なる色の糸の編み上げの過程で図形や図案、模様を編み上げ形成してもよい。
【００１９】
本実施形態の飲料容器用カバー１０では、内表筒部１２と外表筒部１１とを、例えば素材縫い合わせ部２０での縫い合わせの際に位置が動かないよう縫い合わせるようにしてもよい。こうすれば、飲料容器用カバー１０の外観を一定に保つことができる。また、素材縫い合わせ部２０に代えて、樹脂製ファスナーを用いてもよい。この場合には、図３に示すように折り返した上端周壁Ｓ１と下端周壁Ｓ２に樹脂製ファスナーを設ければよい。
【００２０】
本実施形態の飲料容器用カバー１０では、内表筒部１２と外表筒部１１とを素材縫い合わせ部２０で縫い合わせたが、この縫い合わせを行った上で、縦方向に分割し、その分割箇所に樹脂製ファスナーを設けてもよい。図２を用いて説明すると、図示する断面視の表層部、即ち外表筒部１１と内表筒部１２の重なり領域表層に樹脂製ファスナーのいわゆる雄ファスナーを設け、この断面視の表層部と向き合う外表筒部１１と内表筒部１２の重なり領域表層に樹脂製ファスナーのいわゆる雌ファスナーを設ける。こうすれば、飲料容器口元側の飲料容器用カバー１０の上端側を、一部の縦領域において樹脂製ファスナーを開き、上端側が開いた状態で、飲料容器用カバー１０をカバーとして、或いはコースターとして用いることができる。
【００２１】
本実施形態の飲料容器用カバー１０では、上端から下端までほぼ一律な筒状体としたが（図１，図２参照）、次のようにしてもよい。まず、図３におけるニット素材の円筒体１０ｎを、中央領域においては図示の通りほぼ同じ径の筒状体であり、図の上端周壁Ｓ１の側と下端周壁Ｓ２の側が小径の筒状体となるように、例えば立体編み上げ機により編み上げる。その後は、既述したように、上端周壁Ｓ１と下端周壁Ｓ２とを折り返してから上下端周壁を縫い上げ、素材縫い合わせ部２０が内表筒部１２（図２参照）の筒状体上端に位置するよう、ずらす。こうすれば、下端側から上端に掛けてはほぼ同じ径の筒状体であって、この筒状体に続く上端側では、小径の筒状体であった上端周壁Ｓ１の側と下端周壁Ｓ２が上端側で重なって小径の筒状体とされた異形形状の二重の筒構造の飲料容器用カバー１０を得ることができる。この異形形状の二重の筒構造の飲料容器用カバー１０は、飲み口の側が小径とされた瓶としての飲料容器のカバーに適している。つまり、上端側の小径の筒状体の部位が瓶の飲み口の側となり、ほぼ同じ径の筒状体の部位が瓶の本体の側となるように、異形形状の二重の筒構造の飲料容器用カバー１０を瓶に装着し、瓶の底部の側では、ほぼ同じ径の筒状体の端部により、瓶底の外周を覆うようにできる。
【００２２】
本実施形態の飲料容器用カバー１０では、外表筒部１１および内表筒部１２の一端を飲料容器の底部外周において内側に折れ曲げてコースターとして用いることができるが、コースターとしての機能が不要な場合には、飲料容器用カバー１０の全域を飲料容器周壁に装着すればよい。
【符号の説明】
【００２３】
１０…飲料容器用カバー
１０ｎ…円筒体
１１…外表筒部
１２…内表筒部
２０…素材縫い合わせ部
Ｓ１…上端周壁
Ｓ２…下端周壁
Ｙ１…脚付き容器
Ｙ２…コップ状容器
【図１】
2017196201.tif 000003
【図２】
2017196201.tif 000004
【図３】
2017196201.tif 000005
【図４】
2017196201.tif 000006
【図５】
2017196201.tif 000007
【図６】
2017196201.tif 000008